(57)【特許請求の範囲】
【請求項１】
基台と、
前記基台上に配置され、貫通孔が形成されたフレーム部と、
前記基台とフレーム部との間の一部に配置され、当該基台とフレーム部との間に隙間を形成するスペーサと、
前記貫通孔に着脱自在に嵌め込まれる蓋部材と、
を備えている、アルバム。
【請求項２】
前記基台とフレーム部との間で、前記スペーサが設けられていない部分が、被保持物を挿入するための開口部を構成している、請求項１に記載のアルバム。
【請求項３】
前記フレーム部及び蓋部材が、ＥＶＡ樹脂で形成されている、請求項１または２に記載のアルバム。
【請求項４】
前記蓋部材の表面に、装飾が施されている、請求項１から３のいずれかに記載のアルバム。
【発明の詳細な説明】
【技術分野】
【０００１】
本発明は、写真、書面などの被保持物を保持するアルバムに関する。
【背景技術】
【０００２】
従来より、写真などを保持するアルバムとしては、種々のものが提案されており、例えば、特許文献１に記載のものが開示されている。このアルバムには、ストッパーが設けられており、写真をとじたり、外したりするのを容易に行うことができる。
【先行技術文献】
【特許文献】
【０００３】
【特許文献１】登録実用新案第３０５９７５７号公報
【発明の概要】
【発明が解決しようとする課題】
【０００４】
ところで、アルバムは、保管用として写真を収納するだけでなく、近年は、撮影した写真をプレゼントするために用いられることがある。しかしながら、現在のところ、プレゼント用に適したアルバムは、提案されておらず、手軽に渡すことができるアルバムが要望されていた。
本発明は、上記問題を解決するためになされたものであり、プレゼント用に適したアルバムを提供することを目的とする。
【課題を解決するための手段】
【０００５】
本発明に係るアルバムは、基台と、前記基台上に配置され、貫通孔が形成されたフレーム部と、前記基台とフレーム部との間の一部に配置され、当該基台とフレーム部との間に隙間を形成するスペーサと、前記貫通孔に着脱自在に嵌め込まれる蓋部材と、を備えている。
【０００６】
この構成によれば、基台とフレーム部との間に隙間が形成されるため、この隙間によって、シート状の被保持物の端縁を保持することができる。これにより、貫通孔を介して、保持された被保持物を見ることができる。そして、貫通孔は、蓋部材によって塞ぐことができるため、プレゼントとしてこのアルバムを渡された者が、蓋部材を取り外すと、被保持物が目に入ることになり、プレゼントとしての演出効果を向上することができる。なお、被保持物は、写真のほか、文字、イラストなどが記載された書面とすることもできる。
【０００７】
上記アルバムにおいては、基台とフレーム部との間で、スペーサが設けられていない部分を、被保持物を挿入するための開口部として構成することができる。これにより、被保持物を簡単に取り付けることができる。
【０００８】
上記フレーム部及び蓋部材は、種々の材料で形成することができる。例えば、弾性材料で形成すれば、弾性力を利用して、フレーム部の貫通孔に対して、蓋部材を押し込むことで取り付けることができる。また、スペーサの厚みを小さくすれば、基台とフレーム部との間に被保持物を挟むことができ、弾性力によって、被保持物が脱落しないように保持することができる。このような弾性材料としては、例えば、ＥＶＡ（エチレン酢酸ビニル共重合体）樹脂を用いることができる。
【０００９】
また、上記アルバムにおいては、蓋部材の表面に装飾を施すことができる。こうすることで、アルバムの装飾効果が高まり、プレゼントとしての価値を向上させることができる。
【発明の効果】
【００１０】
本発明に係るアルバムは、プレゼントとして適し、プレゼント用としての演出効果を向上することができる。
【図面の簡単な説明】
【００１１】
【図１】本発明の一実施形態に係るアルバムの正面図である。
【図２】図１のアルバムのカバーを開いた状態の概略を示す斜視図である。
【図３】図２において蓋部材を取り外したときの斜視図である。
【図４】図３のＡ−Ａ線断面図である。
【図５】図１のアルバムの他の例を示す平面図である。
【図６】カバーの他の例を示す図である。
【発明を実施するための形態】
【００１２】
以下、本発明に係るアルバムの一実施形態について図面を参照しつつ説明する。図１は本発明の一実施形態に係るアルバムの正面図、図２は図１のアルバムのカバーを開いた状態の概略を示す斜視図、図３は図２において蓋部材を取り外したときの斜視図、図４は図３のＡ−Ａ線断面図である。
【００１３】
図１に示すように、このアルバムは、シート状の基台１と、これに連結されたシート状のカバー２とを備え、基台１上には写真を保持する写真保持部３が設けられている。基台１とカバー２とは、ともに矩形状に形成されており、両者の一端部同士が連結され、アルバムの「背」１１を構成している。これにより、カバー２を開くと、写真保持部３が現れるようになっている。なお、基台１及びカバー２は、紙、プラスチックシートなどで形成することができる。
【００１４】
図２に示すように、写真保持部３は、基台１の外縁とほぼ一致するように全体として矩形状に形成されており、写真を保持するフレーム部３１を備えている。フレーム部３１は、中央に矩形状の貫通孔３１１が形成されており、この貫通孔３１１には、表面に装飾が施された蓋部材３２が着脱自在に嵌め込まれる。また、貫通孔３１１の壁面には、指を挿入するための切り欠き３１２が１つ形成されており、この切り欠き３１２に指を挿入することで、蓋部材３２をフレーム部３１から取り外すことができる。また、このフレーム部３１は、スペーサ３３を介して、基台１上に固定されている。このスペーサ３３は、アルバムの「天」、「背」及び「地」に沿って延びるＵ字型に形成されており（図２の点線参照）、フレーム部３１よりも幅が狭くなっている。
【００１５】
そして、スペーサ３３の外側の端縁は、フレーム部３１の端縁と一致するように基台１及びフレーム部３１に固定されている。これにより、例えば、図３に示すように、フレーム部３１と基台１との間には、貫通孔３１１の端縁に沿うように、写真の端縁を保持するための隙間１０が形成される。また、アルバムの「小口」側には、スペーサ３３は、配置されていないため、この部分においては、フレーム部３１と基台１との間に、貫通孔３１１に通ずる開口部３４が形成される。
【００１６】
上述した写真保持部３は、種々の材料で形成することができるが、例えば、弾性材料で形成することができる。これにより、フレーム部３１の貫通孔３１１に対して、蓋部材３２を弾性的にねじ込むことができ、摩擦力も作用するため、蓋部材３２が脱落するのを防止できる。したがって、蓋部材３２を繰り返し着脱することができる。また、スペーサ３３の厚みを小さくしておけば、隙間１０の高さが小さくなり、基台１と、フレーム部３１との間で写真を弾性的に挟持することができる。このような弾性材料としては、例えば、ＥＶＡ（エチレン酢酸ビニル共重合体）樹脂を採用することができる。特に、ＥＶＡ樹脂を用いれば、蓋部材３２の着脱の際に、両部材３１，３２がこすれ合う不快な音が発生するのを防止することができる。また、スペーサ３３は、紙やプラスチックシートなどでも形成することができる。
【００１７】
次に、上記のように構成されたアルバムの使用方法について説明する。このアルバムは、プレゼント用として他人に贈呈されるものであり、例えば、記念となる写真が取り付けられる。まず、図３に示すように、蓋部材３２を取り外しておき、写真Ｘを、小口側の開口部３４から挿入する。上記のように、スペーサ３３の厚みを小さくしておけば、フレーム部３１が弾性的に写真の端縁を押圧するため、簡単に脱落することはない。そして、装飾面が上になるように、蓋部材３２を取り付け、カバー２をとじれば、準備が完了する。
【００１８】
このような、アルバムを渡された者がカバー２を開くと、まず装飾面が目に入るため、プレゼントとしての装飾効果を奏することができる。そして、蓋部材３２を取り外すことで、貫通孔３１１を介して記念の写真が目に入るため、プレゼントとしての演出効果がさらに向上する。このアルバムは、フレーム部３１が写真をしっかりと保持するため、壁に立てかけて飾っておくこともできる。
【００１９】
以上のように、本実施形態によれば、基台１とフレーム部３１との間に写真を保持するための隙間１０が形成されているため、この隙間１０に写真の端縁を保持すれば、貫通孔３１１を介して、写真を見ることができる。特に、フレーム部３１を弾性材料で形成すれば、写真が脱落するのを防止することができる。また、貫通孔３１１を蓋部材３２で塞ぐ際にも、弾性的に蓋部材３２を嵌め込むことができるため、部品点数を少なくすることができる。その結果、コストを低減することができる。
【００２０】
以上、本発明の一実施形態について説明したが、本発明は上記実施形態に限定されるものではなく、その趣旨を逸脱しない限りにおいて種々の変更が可能である。例えば、蓋部材３２の表面には、上述したように、装飾を施すことができるが、その他、メッセージを書き込むことができるようにしてもよい。このとき、ペンなどで記載がしやすいように、蓋部材３２の表面に記入用紙等、紙のシールなどを貼り付けておくことができる。また、上記実施形態では、写真保持部３に、写真を保持しているが、これ以外に、メッセージ、イラストなどが記載された紙、プラスチックシートなどを収納することができる。そして、これらの被保持物の表面に透明のカバーシートを重ねて写真保持部３に収容することもでき、こうすることで、被保持物が汚れたり、破損するのを防止することができる。また、被保持物をフレーム部３１の一部に保持し、貫通孔３１１から露出する基台１の一部にメッセージなどを直接記載したり、或いはメッセージが記載されたシールなどを貼り付けることもできる。なお、カバー２は、種々の態様にすることができ、イラストを記載したり、形状を変更することもできる。また、必ずしもカバー２はなくてもよい。さらに、フレーム部３１、基台１の形状、貫通孔３１１の形状も、矩形以外の円形、楕円形などを採用することができる。
【００２１】
さらに、図５に示すように、基台及び写真保持部を複数束ねた形態にすることもできる。図５は、アルバムを「天」から見た平面図である。この形態は、基台１及び写真保持部３からなるアルバム片を、背８に固定し、この背８に一対のカバー２を取り付けたアルバムを示している。これにより、複数の写真をプレゼントとして贈呈することができる。
【００２２】
また、カバーにも、図６に示すように、贈呈用の工夫を施すことができる。図６は、カバーの表面（ａ）、Ｂ−Ｂ線断面（ｂ）、及びカバーの裏面（ｃ）を示している。このカバー２は、ＥＶＡ樹脂などの弾性材料で形成された基材２１の表面と裏面に、紙またはプラスチックシートなどで形成された化粧シート２２，２３を貼り付けることで形成されている。そして、このカバー２には、キャラクター模様が記載され、このキャラクターに合わせた形状に施されている。表面には、キャラクターの一部のシルエットが表れるように、化粧シート２２を切り抜き、シルエットの部分に基材２１が露出するようにしている。これは、例えば、基材２１が濃い色であれば、基材２１の色を利用することで影のように映る。そして、裏面の化粧シート２３には、キャラクターそのものを描くことができる。このような、形態にすることで、カバー２を開いたときに、裏面にキャラクターの絵柄が明確に表れるので、装飾効果が一段と向上することができる。
【符号の説明】
【００２３】
１  基台
３１  フレーム部
３１１  貫通孔
３２  蓋部材
３３  スペーサ
【図１】
0005398557.tif 000002
【図２】
0005398557.tif 000003
【図３】
0005398557.tif 000004
【図４】
0005398557.tif 000005
【図５】
0005398557.tif 000006
【図６】
0005398557.tif 000007